(57)【特許請求の範囲】
【請求項１】
複数の綜絖（１Ａ、１Ｂ）にそれぞれ、上半部に長孔（４）を穿設した表たて糸ヘルド（３ａ）と、下半部に長孔（４）を穿設した裏たて糸ヘルド（３ｂ）とを設け、表たて糸ヘルド（３ａ）の長孔（４）に表たて糸（５ａ）を裏たて糸ヘルド（３ｂ）の長孔（４）に裏たて糸（５ｂ）をそれぞれ挿通し、前記複数の綜絖（１Ａ、１Ｂ）の一又は二以上のものに、上半部又は下半部に長孔（４）を穿設した接結たて糸ヘルド（６）を設けて当該長孔（４）に接結たて糸（８）を挿通し、当該接結たて糸ヘルド（６）の長孔（４）の中央寄り端部に前記接結たて糸（８）を解除可能に拘束する拘束手段（７）を設け、当該拘束手段（７）による拘束を解除した状態で、前記綜絖を所定の順序で上下動せしめることにより、上動した綜絖（１Ａ、１Ｂ）の表たて糸ヘルド（３ａ）がそれに挿通された表たて糸（５ａ）を上動せしめると共に、当該綜絖（１Ａ、１Ｂ）の裏たて糸ヘルド（３ｂ）に挿通された裏たて糸（５ｂ）を前記長孔（４）の中間位置で中立に保持し、下動した綜絖（１Ｂ、１Ａ）の裏たて糸ヘルド（３ｂ）がそれに挿通された裏たて糸（５ｂ）を下動せしめると共に、当該綜絖（１Ｂ、１Ａ）の表たて糸ヘルド（３ａ）に挿通された表たて糸（５ａ）を前記長孔（４）の中間位置で中立に保持して、上下二段の開口を形成し、所定の順序で形成された開口状態において、上部開口に表よこ糸（１０ａ）を挿入することにより表たて糸（５ａ）と表よこ糸（１０ａ）とにより表組織を織成する工程と、下部開口に裏よこ糸（１０ｂ）を挿入することにより裏たて糸（５ｂ）と裏よこ糸（１０ｂ）とにより裏組織を織成する工程とを所定の順序で行うと共に、前記接結たて糸（８）を拘束することなく、それを挿通した接結たて糸ヘルド（６）に相当するたて糸ヘルド（３）に挿通されたたて糸（５）と同様に挙動させて表組織又は裏組織に織り込む非接結工程と、前記拘束部材で接結たて糸（８）を長孔（４）の中央寄り端部に拘束した状態で、前記綜絖（１Ａ、１Ｂ）を所定の順序で上下動せしめ、形成された上下二段の開口に前記と同様に表よこ糸（１０ａ）及び裏よこ糸（１０ｂ）を挿入して表組織及び裏組織を織成すると共に、前記接結たて糸ヘルド（６）がその上下動により接結たて糸（８）に上動位置及び下動位置を採らせ、当該接結たて糸（８）により表組織と裏組織とを接結する接結工程とを、所定の間隔で繰り返すことを特徴とする、間欠接結二重織物の製造方法
【請求項２】
前記表よこ糸（１０ａ）を挿入する表シャトル（９ａ）が、その挿入方向の先端が中心より高い位置で突出しており、中立位置のたて糸（５）を押し下げながら上部開口を通過し、前記裏よこ糸（１０ｂ）を挿入する裏シャトル（９ｂ）が、その挿入方向の先端が中心より低い位置で突出しており、中立位置のたて糸（５）を押し上げながら下部開口を通過することを特徴とする、請求項１に記載の間欠接結二重織物の織成方法
【発明の詳細な説明】
【技術分野】
【０００１】
本発明は二重織物の織成方法に関するものであって、特に数少ない綜絖で二重織物を織成し、その二重織物を接結すると共に、その接結を間欠的に形成することのできる織成方法に関するものである。
【背景技術】
【０００２】
従来二重織物を織成する場合には、最低でも四枚の綜絖を必要としていた。すなわち二重織物における表組織と裏組織とがそれぞれ平織り組織である場合においては、表組織と裏組織を織成するためにそれぞれ二枚ずつの綜絖が必要であり、且つその両者を兼ねることができないため、四枚の綜絖が必要となるのである。
【０００３】
また表組織と裏組織に綾織りや朱子織りを使用する場合には、綾織り組織は三枚以上、朱子織り組織は五枚以上の綜絖が必要であるから、これらの組織で二重織物を織成する場合には、その二倍の綜絖が必要となる。
【０００４】
また表組織と裏組織とを接結たて糸で接結する場合には、表組織を織成するための綜絖と裏組織を織成するための綜絖の他に、接結たて糸を操作するための別の綜絖がさらに一枚乃至二枚必要となり、綜絖の枚数がさらに増える。
【０００５】
これらの事情に鑑み、出願人は先に綜絖の枚数を減少させて二重織りを織成する方法を発明して、当該方法について特許出願をしており、特開２００９−６８１４４号として公開されている。
【０００６】
この方法は、綜絖に上半部に長孔を穿設した表たて糸ヘルドと、下半部に長孔を穿設した裏たて糸ヘルドとを設け、その綜絖の上下動に伴ってたて糸を二段に開口せしめ、その上部開口によこ糸を打ち込むことにより表組織を織成し、下部開口によこ糸を打ち込むことにより裏組織を織成するものであって、二枚の綜絖で二重織り組織の織物を織成することができるものである。
【０００７】
また前記綜絖に、中央にメールを形成した接結たて糸ヘルドを取りつけ、当該接結たて糸ヘルドのメールに接結たて糸を挿通することにより、綜絖の枚数を増やすことなく表組織と裏組織とを接結たて糸で接結することができる。
【０００８】
またこの発明の方法は、通常の平織機を使用して扁平な二重織物を織成する場合に限らず、環状織機により内外二重の筒状織物を織成する場合においても、当該発明をそのまま適用することが可能である。
【０００９】
一方出願人は、筒状織物を二本並列し、その二本の筒状織物を間欠的に接結した二連筒状織物を発明し、２００９−３６４０９号として特許出願している。またこの二連筒状織物は、環状織機により内外二重の筒状織物を織成すると共にその二重の筒状織物を接結し、その外側の筒状織物を内外反転することにより内側の筒状織物を外に出し、二連の筒状織物とすることができる。
【００１０】
しかしながら前記出願の間欠的に接結した二連筒状織物を、先に述べた公開公報に示された方法で織成しようとすると、接結糸が並列した筒状織物を完全に接結してしまうため、間欠的に接結することができない。
【００１１】
またこの並列した筒状織物を間欠的に接結するためには、接結するときとしないときとで接結糸の挙動を異ならしめる必要があるため、接結糸のために別に一乃至二枚の綜絖を必要とし、先の公報に示された方法の利点が失われる。
【先行技術文献】
【特許文献】
【００１２】
【特許文献１】特開２００９−６８１４４号
【発明の概要】
【発明が解決しようとする課題】
【００１３】
本発明はかかる事情に鑑みなされたものであって、先の公報に示された方法を改良することにより、ことさらに綜絖の枚数を増すことなく、間欠的に接結する方法を提供することを目的とするものである。
【課題を解決するための手段】
【００１４】
而して本発明は、複数の綜絖にそれぞれ、上半部に長孔を穿設した表たて糸ヘルドと、下半部に長孔を穿設した裏たて糸ヘルドとを設け、表たて糸ヘルドの長孔に表たて糸を裏たて糸ヘルドの長孔に裏たて糸をそれぞれ挿通し、前記複数の綜絖の一又は二以上のものに、上半部又は下半部に長孔を穿設した接結たて糸ヘルドを設けて当該長孔に接結たて糸を挿通し、当該接結たて糸ヘルドの長孔の中央寄り端部に前記接結たて糸を解除可能に拘束する拘束手段を設け、当該拘束手段による拘束を解除した状態で、前記綜絖を所定の順序で上下動せしめることにより、上動した綜絖の表たて糸ヘルドがそれに挿通された表たて糸を上動せしめると共に、当該綜絖の裏たて糸ヘルドに挿通された裏たて糸を前記長孔の中間位置で中立に保持し、下動した綜絖の裏たて糸ヘルドがそれに挿通された裏たて糸を下動せしめると共に、当該綜絖の表たて糸ヘルドに挿通された表たて糸を前記長孔の中間位置で中立に保持して、上下二段の開口を形成し、所定の順序で形成された開口状態において、上部開口に表よこ糸を挿入することにより表たて糸と表よこ糸とにより表組織を織成する工程と、下部開口に裏よこ糸を挿入することにより裏たて糸と裏よこ糸とにより裏組織を織成する工程とを所定の順序で行うと共に、前記接結たて糸を拘束することなく、それを挿通した接結たて糸ヘルドに相当するたて糸ヘルドに挿通されたたて糸と同様に挙動させて表組織又は裏組織に織り込む非接結工程と、前記拘束部材で接結たて糸を長孔の中央寄り端部に拘束した状態で、前記綜絖を所定の順序で上下動せしめ、形成された上下二段の開口に前記と同様に表よこ糸及び裏よこ糸を挿入して表組織及び裏組織を織成すると共に、前記接結たて糸ヘルドがその上下動により接結たて糸に上動位置及び下動位置を採らせ、当該接結たて糸により表組織と裏組織とを接結する接結工程とを、所定の間隔で繰り返すことを特徴とするものである。
【００１５】
本発明においては、前記表よこ糸を挿入する表シャトルが、その挿入方向の先端が中心より高い位置で突出しており、中立位置のたて糸を押し下げながら上部開口を通過し、前記裏よこ糸を挿入する裏シャトルが、その挿入方向の先端が中心より低い位置で突出しており、中立位置のたて糸を押し上げながら下部開口を通過することにより、上下の開口を選択してよこ糸を挿入するのが好ましい。
【発明の効果】
【００１６】
本発明によれば、接結たて糸を接結たて糸ヘルドの長孔の中央寄りの端部に拘束することにより、当該糸条は接結たて糸として挙動して二重の織物を接結すると共に、接結たて糸の前記拘束を解除することにより、当該糸条はそれを挿通したヘルドの長孔に応じたいずれかの織物のたて糸として挙動してその織物に織り込まれ、二重の織物が接結されることはない。従って前記拘束の有無により接結したりしなかったりすることができ、綜絖の枚数を増すことなく、間欠的に接結した二重織物を織成することができる。
【図面の簡単な説明】
【００１７】
【図１】本発明に使用する綜絖及び、よこ糸を打ち込む状態を示す正面図
【図２】本発明において非接結部を織成する工程を示す図面
【図３】本発明において接結部を織成する工程を示す図面
【発明を実施するための形態】
【００１８】
図１は本発明における綜絖１を示すものである。この綜絖１は二重織物の表組織及び裏組織がいずれも平織り組織で織成される場合におけるものであって、第一及び第二の綜絖１Ａ、１Ｂよりなっている。
【００１９】
そして各綜絖１Ａ、１Ｂにはそれぞれ、綜絖枠２に表たて糸ヘルド３ａ及び裏たて糸ヘルド３ｂが設けられており、表たて糸ヘルド３ａは上半部に、裏たて糸ヘルド３ｂには下半部に、それぞれ長孔４が穿設されている。
【００２０】
そしてこれらのヘルド３の長孔４には、表たて糸ヘルド３ａに表たて糸５ａが、裏たて糸ヘルド３ｂに裏たて糸５ｂがそれぞれ挿通されており、綜絖１Ａ、１Ｂが中立状態にあるときには、表たて糸５ａは表たて糸ヘルド３ａの長孔４の下端に位置し、裏たて糸５ｂはヘルド３ｂの長孔４の上端に位置する。
【００２１】
そして図１においては、第一の綜絖１Ａが上動し、第二の綜絖１Ｂが下動している。この状態においては上動した第一の綜絖１Ａに取り付けられた表たて糸ヘルド３ａは表たて糸５ａを上動せしめると共に、裏たて糸ヘルド３ｂは長孔４に挿通された裏たて糸５ｂを中立位置に保持する。
【００２２】
また第二の綜絖１Ｂが下動することにより、それに取り付けられた表たて糸ヘルド３ａは表たて糸５ａを中立位置に保持すると共に、裏たて糸ヘルド３ｂは裏たて糸５ｂを下動せしめる。これによりたて糸５は上動した位置、下動した位置及び中立位置の三種の位置を取り、上下二段に開口している。
【００２３】
また６は接結たて糸ヘルドである。この接結たて糸ヘルド６は図面の例においては第一の綜絖１Ａ及び第二の綜絖１Ｂに各一本ずつ設けられ、表たて糸ヘルド３ａと同様に上半部に長孔４が形成されており、その長孔４に沿って上下にスライドするスライダー７が設けられている。
【００２４】
当該スライダー７を図面に示すように上方にスライドさせた状態においては、接結たて糸ヘルド６は表たて糸ヘルド３ａと同様に作動すると共に、スライダー７を下方にスライドさせた状態においては、当該スライダー７が接結たて糸８を長孔４の下端末すなわち接結たて糸ヘルド６の中央部に拘束する。なおスライダー７の位置及びそのときの織成状態については後に詳述する。
【００２５】
図１の左右に示す９ａ及び９ｂはそれぞれ表シャトル及び裏シャトルである。これらのシャトル９は全体として紡錘形をなしており、表シャトル９ａはその両端が中央より高い位置で両方向に突出しており、裏シャトル９ｂの両端はその中央より低い位置で両方向に突出している。
【００２６】
そのため表シャトル９ａを開口に打ち込むと、その先端が上動したたて糸５と中立位置のたて糸５との間の上段の開口内に進入し、当該開口に表よこ糸１０ａを織り込む。また開口に裏シャトル９ｂを打ち込んだときには、その先端が下段の開口内に侵入し、裏よこ糸１０ｂを織り込む。
【００２７】
なお図面においては説明のために、表シャトル９ａ及び裏シャトル９ｂを同時に描き、それらのシャトル９が同時に表よこ糸１０ａ及び１０ｂを織り込むように描いているが、実際の織成工程においては当然のことながら、よこ糸１０は表裏のいずれかに一本ずつ織り込まれる。
【００２８】
次に図２に基づいて、二重織物を織成する工程を説明する。なお図２においては、前記接結たて糸ヘルド６のスライダー７は、図１に示したのと同様に長孔４の上端に位置しており、接結たて糸８は長孔４内を移動し得る。
【００２９】
先ず図２（ａ）においては、先の図１において示したのと同様に、二枚の綜絖１Ａ、１Ｂのうちの第一の綜絖１Ａは上動しており、第二の綜絖１Ｂは下動した状態にあってたて糸５は開口している。
【００３０】
この状態においては、第一の綜絖１Ａに設けられた表たて糸ヘルド３ａは、それに挿通された表たて糸５ａを上動せしめており、裏たて糸ヘルド３ｂに挿通された裏たて糸５ｂは、裏たて糸ヘルド３ｂの下半部が長孔４であるため上動せしめられることはなく、長孔４の中間位置で中立状態に保持される。
【００３１】
また第二の綜絖１Ｂが下動することにより、それに設けられた裏たて糸ヘルド３ｂはそれに挿通された裏たて糸５ｂを下動せしめ、表たて糸ヘルド３ａの上半部が長孔４であるためそれに挿通された表たて糸５ａが下動せしめられることはなく、長孔４の中間位置で中立状態に保持される。
【００３２】
これによりたて糸５群は、表たて糸５ａの一部が上動し、裏たて糸５ｂの一部が下動し、他のたて糸５は中立位置に保持されることとなり、上動したたて糸と中立位置のたて糸と及び、中立位置と下動したたて糸との、上下二段に開口した状態となる。
【００３３】
また接結たて糸ヘルド６は、表たて糸ヘルド３ａと同様に上半部に長孔４が形成されており、スライダー７は長孔４の上端末に位置しているので、表たて糸ヘルド３ａと全く同様に作動する。すなわち第一の綜絖１Ａに設けられた接結たて糸ヘルド６は接結たて糸８を上動せしめており、第二の綜絖１Ｂに設けられた接結たて糸ヘルド６は接結たて糸８を中立位置に保持している。
【００３４】
この状態で、開口に図中左側から表シャトル９ａを通し、表よこ糸１０ａを挿入する。表シャトル９ａは先に述べたようにその前後両端はその中央より高い位置で両方向に突出しているので、その表シャトル９ａを図中左方から右方に向かって打ち込むと、その先端が上段の開口に入り、当該先端より下方の湾曲部が中立位置のたて糸５を下方に押し下げつつ進行する。
【００３５】
このとき中立位置のたて糸５はヘルド３の長孔４の中央位置にあるため、表シャトル９ａに押し下げられて容易に下動し、上段の開口が拡がって表シャトル９ａは容易に通過することができ、上段の開口に表よこ糸１０ａが挿入されるのである。
【００３６】
この状態においては、第一の綜絖１Ａの表たて糸ヘルド３ａに挿通された表たて糸５ａは上動しており、第二の綜絖１Ｂの表たて糸ヘルド３ａに挿通された表たて糸５ａは中立位置にあり、裏たて糸５ｂは全て中立位置又は下動位置にあるので、表よこ糸１０ａは表たて糸５ａにのみ織成され、表組織が織成されることとなる。
【００３７】
次に図２（ｂ）に示すように、第一の綜絖１Ａを下動させると共に第二の綜絖１Ｂを上動させると、表たて糸５ａは上動位置と中立位置とのたて糸が入れ替わり、また裏たて糸５ｂは中立位置と下動位置のたて糸が入れ替わる。この状態で表シャトル９ａを右方から左方に通すと、先と異なった位置で表たて糸５ａに対して表よこ糸１０ａが織り込まれ、表組織が織成される。
【００３８】
次に図２（ｃ）に示すように、第一の綜絖１Ａを上動させると共に第二の綜絖１Ｂを下動させ、再度図２（ａ）と同様の綜絖配置とし、この状態で裏シャトル９ｂを左方から右方に向かって通す。
【００３９】
裏シャトル９ｂは前述のように、その前後両端が中心より低い位置で両方向に突出しているので、その裏シャトル９ｂを図中左方から右方に向かって打ち込むと、その先端が下段の開口に入り、当該先端より上方の湾曲部が中立位置のたて糸５を上方に押し上げつつ進行する。
【００４０】
このとき先に図２（ａ）について述べたと同様に、中立位置のたて糸５はヘルド３の長孔４の中央位置にあるため、裏シャトル９ｂに押し上げられて容易に上動し、下段の開口が拡がって裏シャトル９ｂは容易に通過することができ、下段の開口に裏よこ糸１０ｂが挿入されるのである。
【００４１】
この状態においては、第二の綜絖１Ｂの裏たて糸ヘルド３ｂに挿通された裏たて糸５ｂは下動しており、第一の綜絖１Ａの裏たて糸ヘルド３ｂに挿通された裏たて糸５ｂは中立位置にあり、また表たて糸５ａは全て中立位置又は上動位置にあるので、裏よこ糸１０ｂは裏たて糸５ｂにのみ織成され、裏組織が織成される。
【００４２】
次いで図２（ｄ）に示すように綜絖１Ａ、１Ｂの上下を入れ換え、再度裏シャトル９ｂを右方から左方に通すことにより、図２（ｃ）とは異なった位置で裏たて糸５ｂに対して裏よこ糸１０ｂが織り込まれ、裏組織が織成される。
【００４３】
これらの工程を通して表たて糸５ａと表よこ糸１０ａとよりなる表組織と、裏たて糸５ｂと裏よこ糸１０ｂとよりなる裏組織とを織成する一つのサイクルが完了し、さらにこれらのサイクルを繰り返すことにより、表組織と裏組織とよりなる二重織物が織成されるのである。
【００４４】
図２においては、図２（ａ）と図２（ｃ）とは綜絖の開口状態は同一であり、また図２（ｂ）と図２（ｄ）も綜絖は同一の状態に開口している。そしてこれらの開口状態においてたて糸５は上下二段に開口しており、そのいずれによこ糸１０を挿入するかは、シャトル９の形状に基づいて決定されるのである。
【００４５】
従来二重織物Ａを織成する場合には、よこ糸１０の挿入位置によって開口状態を変えなければならず、最低でも四枚の綜絖を必要としていたのであるが、本発明によれば同一の開口状態でもシャトル９により異なる位置によこ糸１０を挿入することができ、二枚の綜絖で二重織物Ａを織成することができるのである。
【００４６】
またこれらの工程において、前記接結たて糸ヘルド６はスライダー７が長孔４の上端部にあり、接結たて糸８を拘束していないので、接結たて糸ヘルド６は表たて糸ヘルド３ａと全く同様に作動し、接結たて糸８を表たて糸５ａと同様に上動した位置と中立位置との間で開口させることとなる。
【００４７】
従って表よこ糸１０ａは接結たて糸８に対しても表たて糸５ａに対するのと同様に織り込まれるが、裏よこ糸１０ｂは常に接結たて糸８の下を通ることとなるので接結たて糸８に対して織り込まれることはなく、結局接結たて糸８は表たて糸５ａの一部として表組織に織り込まれ、表組織と裏組織とが接結されることはない。
【００４８】
次に図３に示すように、接結たて糸ヘルド６におけるスライダー７をスライドさせて、接結たて糸ヘルド６の中央部すなわち長孔４における下端末に位置せしめる。これにより接結たて糸８は接結たて糸ヘルド６の中央部に拘束され、長孔４に沿って移動することはなくなる。
【００４９】
この状態で図３に示すように、第一の綜絖１Ａ及び第二の綜絖１Ｂを上下動せしめ、表たて糸ヘルド３ａ及び裏たて糸ヘルド３ｂを図２において述べたと同様に作動させ、たて糸５を上下二段に開口させ、上段の開口に表シャトル９ａにより表よこ糸１０ａを、下段の開口に裏シャトル９ｂにより裏よこ糸１０ｂを織り込んで、表組織及び裏組織よりなる二重織物を織成する。このときのたて糸５とよこ糸１０との織成状態は図２において述べたのと全く同様である。
【００５０】
而して図３においては、前述のように接結たて糸８が接結たて糸ヘルド６における長孔４の中央寄りの端部に拘束されているので、接結たて糸８は接結たて糸ヘルド６における長孔４に沿って移動することはなく、第一の綜絖１Ａ及び第二の綜絖１Ｂの上下動に伴って、上動位置又は下動位置のいずれかを採り、接結たて糸８が長孔４の中央部で中立位置を採ることはない。
【００５１】
すなわち図３（ａ）、（ｂ）、（ｃ）、（ｄ）のいずれにおいても、上動した綜絖１に設けられた接結たて糸ヘルド６に挿通された接結たて糸８は上動位置にあり、下動した綜絖１に設けられた接結たて糸ヘルド６に挿通された接結たて糸８はすべて下動位置にあって、図２におけるように中立位置にある接結たて糸８はない
【００５２】
そのためシャトル９はそれが表シャトル９ａであるか裏シャトル９ｂであるかに関わらず常に上動位置にある接結たて糸８と下動位置にある接結たて糸８との間を通過し、それらの接結たて糸８の間によこ糸１０を織り込む。換言すれば、接結たて糸８はその上下動に伴って、表よこ糸１０ａの上と裏よこ糸１０ｂの下との間を往復することとなり、当該接結たて糸８により表組織と裏組織とが接結される。
【００５３】
従って表組織と裏組織とを織成して二重織物を織成しながら、適宜の間隔でスライダー７を接結たて糸ヘルド６の長孔４に沿ってスライドさせ、当該スライダー７による接結たて糸８の拘束と解除を切り替えることにより、綜絖１の枚数を増すことなく、前記二重織物の接結と非接結とを繰り返し、間欠的に接結することができるのである。
【００５４】
以上の説明においては、もっとも単純な織組織として表組織及び裏組織が共に平織りであるものとして述べたが、本発明においてはこの組織に限られるものではなく、綾織りや朱子織などの組織に適用することもできる。この場合においては、その織組織に対応して綜絖１の枚数は増加させる必要がある。
【００５５】
また以上の説明では二重織物全体が二重であるものについて述べているが、綜絖１の幅方向の一部において通常のメールを有する通常のヘルドを設けることにより、当該ヘルドは綜絖１の上下動に伴ってたて糸５を開口させるので、綜絖１の枚数を増すことなく部分的に一重の織物とすることも可能である。
【００５６】
またシャトル９として表シャトル９ａと裏シャトル９ｂとが異なるものとして説明したが、一つのシャトル９の一端が中央より上部で突出し、他端が中央より下部で突出したものを使用することにより、当該シャトル９を左右に往復させることで表組織と裏組織とを交互に織成し、縦口袋織物を織成すると共に、当該縦口袋織物の表裏を間欠的に接結することもできる。
【００５７】
また本発明において、接結たて糸８を接結たて糸ヘルド６の長孔４の中央寄りの端部に拘束する手段としては、以上の説明のスライダー７に限られるものではなく、接結たて糸８の拘束及び解除が可能な機構であればよい。例えば適宜の個所で織成を止めて、接結たて糸ヘルド６に接結たて糸８を拘束し得る適宜の金具を着脱することにより、接結たて糸８の拘束及び解除をすることもできる。
【００５８】
また以上の説明では接結たて糸ヘルド６として表たて糸ヘルド３ａと同じように上半部に長孔４を形成したものを使用しているが、下半部に長孔４を形成したものを使用することもできる。この場合には非接結状態においては、接結たて糸８は裏たて糸５ｂと同様に裏組織に織り込まれ、当該裏組織の一部を構成する。
【００５９】
また接結たて糸ヘルド６の一部を上半部に長孔４を形成したものとし、他の一部を下半部に長孔４を形成したものとすることも可能であり、この場合には非接結状態においては、上半部に長孔４を形成した接結たて糸ヘルド６に挿通された接結たて糸８は表組織の一部を構成し、下半部に長孔４を形成した接結たて糸ヘルド６に挿通された接結たて糸８は、裏組織の一部を構成することとなる。
【００６０】
また以上の説明では、通常の平織機で扁平な二重織物を織成する場合について述べているが、前述のように環状織機により内外二重の筒状織物を織成する場合においても、本発明をそのまま適用することが可能である。環状織機においてはシャトルは一方向に回転してよこ糸を織り込むが、通常環状織機にはシャトルが二つ以上設けられるので、そのうちの一部を表（外）シャトルとし、他の一部を裏（内）シャトルとすることにより、内外二重の筒状織物を織成することができる。
【符号の説明】
【００６１】
１  綜絖
３  ヘルド
３ａ  表たて糸ヘルド
３ｂ  裏たて糸ヘルド
４  長孔
５  たて糸
５ａ  表たて糸
５ｂ  裏たて糸
６  接結たて糸ヘルド
７  拘束手段
８  接結たて糸
９  シャトル
９ａ  表シャトル
９ｂ  裏シャトル
１０  よこ糸
１０ａ  表よこ糸
１０ｂ  裏よこ糸
【図１】
0005534764.tif 000002
【図２】
0005534764.tif 000003
【図３】
0005534764.tif 000004